(57)【要約】 【課題】ポンプ運転により発生する騒音のポンプ周囲空間への放出を、構造を格別複雑化することなく簡易に抑制できる空気ポンプを提供する。【解決手段】ポンプ本体１と、ポンプ本体１を駆動するためのポンプ駆動部２とをケース３で囲った、空気を供給するための空気ポンプであり、ケース３の少なくとも一部（例えば、ケース３を形成する第１、第２のケース部分３１、３２のうちポンプ本体１及びポンプ駆動部２を据え付けた第１ケース部分３１）は、騒音放出を抑制するための、壁間に空間を形成した多重壁構造に形成されている空気ポンプＰ。【選択図】  図３
2007231746.tif 000002
【特許請求の範囲】
【請求項１】
ポンプ本体と、該ポンプ本体を駆動するためのポンプ駆動部とをケースで囲った、空気を供給するための空気ポンプであり、該ケースの少なくとも一部は、ポンプ運転によるポンプ周囲空間への騒音放出を抑制するための、壁間に空間を形成した多重壁構造に形成されていることを特徴とする空気ポンプ。
【請求項２】
前記ケースは、前記ポンプ本体及びポンプ駆動部を据え付けた第１ケース部分と、該第１ケース部分に据え付けられた該ポンプ本体及びポンプ駆動部を覆って該第１ケース部分に被着された第２ケース部分とを含んでおり、該第１及び第２のケース部分のうち少なくとも一方が前記多重壁構造に形成されているとともに、該第１及び第２のケース部分のうちいずれか一方がポンプ支持台への載置側部分とされている載置型の請求項１記載の空気ポンプ。
【請求項３】
前記ポンプ本体及びポンプ駆動部を据え付けた前記第１ケース部分が前記多重壁構造に形成されており、前記第２ケース部分が前記ポンプ支持台への載置側部分とされている請求項２記載の空気ポンプ。
【請求項４】
前記第２ケース部分は、振動吸収能を有する弾性材料を主体として形成されている請求項３記載の空気ポンプ。
【請求項５】
前記ポンプ本体はダイアフラムを往復動させることで空気を吸引し吐出できるダイアフラムポンプ本体であり、前記ポンプ駆動部は、交番磁界を発生させるための電磁石と、該電磁石が発生する交番磁界により振動して該振動を前記ダイアフラムに伝達し該ダイアフラムを往復動させるダイアフラム駆動部材とを含んでいる請求項１から４のいずれかに記載の空気ポンプ。
【発明の詳細な説明】
【技術分野】
【０００１】
本発明は、熱帯魚等の動物を飼育、観賞するための動物観賞用水槽に用いる水に空気を供給することなどに採用できる空気ポンプに関する。
【背景技術】
【０００２】
熱帯魚等の動物を飼育、観賞するための動物観賞用水槽に用いる水に空気を供給することなどに採用できる簡易な空気ポンプについては、従来種々のタイプのものが提案され、開発されてきた。
【０００３】
その殆どは、基本構造が、ポンプ本体と、該ポンプ本体を駆動するためのポンプ駆動部とをケースで囲ったものである。
代表例として、ポンプ本体がダイアフラムを往復動させることで空気を吸引し吐出できるダイアフラムポンプ本体であり、ポンプ駆動部が、交番磁界を発生させるための電磁石と、該電磁石が発生する交番磁界により振動して該振動を前記ダイアフラムに伝達し該ダイアフラムを往復動させるダイアフラム駆動部材とを含んでいる空気ポンプを挙げることができる。
【０００４】
このように基本構造が、ポンプ本体と、該ポンプ本体を駆動するためのポンプ駆動部とをケースで囲ったものである空気ポンプは、ポンプ運転により騒音が発生する。
【０００５】
このため、騒音対策として、例えば、ケースのポンプ支持台への載置側となる部分を、振動吸収能を有する、ゴム材等からなる足部を有する構造とすることが行われてきた。
最近では、ポンプ本体における空気流路を騒音発生を抑制する構造のものとすることも提案されている（例えば、特開平１１−２４７７６４号公報参照）
【０００６】
【特許文献１】特開平１１−２４７７６４号公報
【発明の開示】
【発明が解決しようとする課題】
【０００７】
しかしながら、ケースのポンプ支持台への載置側となる部分を、振動吸収能を有する、ゴム材等からなる足部を有する構造とするだけでは、ポンプ周囲への騒音放出抑制が十分ではない。
【０００８】
ポンプ本体における空気流路を、騒音発生を抑制する構造のものとしても、それは、ポンプ駆動部からの騒音放出を抑制できるものではないうえ、ポンプ本体の空気流路が複雑化するので、それだけポンプ本体が高価なものとなる。
【０００９】
そこで本発明は、ポンプ本体と、該ポンプ本体を駆動するためのポンプ駆動部とをケースで囲った、空気を供給するための空気ポンプであって、ポンプ本体及びポンプ駆動部の運転により発生する騒音のポンプ周囲空間への放出を、構造を格別複雑化することなく簡易に抑制できる空気ポンプを提供することを課題とする。
【課題を解決するための手段】
【００１０】
前記課題を解決するため本発明は、
ポンプ本体と、該ポンプ本体を駆動するためのポンプ駆動部とをケースで囲った、空気を供給するための空気ポンプであり、該ケースの少なくとも一部は、ポンプ運転によるポンプ周囲空間への騒音放出を抑制するための、壁間に空間を形成した多重壁構造に形成されている空気ポンプを提供する。
【００１１】
本発明に係る空気ポンプの代表的なものは、熱帯魚等の動物を飼育、観賞するための動物観賞用水槽に用いる水に空気を供給することなどに採用でき、適当なポンプ支持台に載置して用いることができる載置型空気ポンプである。
【００１２】
本発明に係る空気ポンプによると、ポンプ本体及びポンプ駆動部を囲っているケースの少なくとも一部が、ポンプ運転によるポンプ周囲空間への騒音放出を抑制するための、壁間に空間を形成した多重壁構造に形成されているので、それだけポンプ運転時の周囲空間への騒音放出が抑制される。また、該騒音放出抑制は、ケースの少なくとも一部を多重壁構造に形成することで行うので、ポンプ構造を格別複雑化、高価格化することなく簡易に行える。
【００１３】
前記ケースとしては、例えば、前記ポンプ本体及びポンプ駆動部を据え付けた第１ケース部分と、該第１ケース部分に据え付けられた該ポンプ本体及びポンプ駆動部を覆って該第１ケース部分に被着された第２ケース部分とを含むものを挙げることができる。
【００１４】
このような第１、第２のケース部分を含むケースを採用する場合、該第１及び第２のケース部分のうち少なくとも一方を前記多重壁構造に形成することができる。
また、該第１及び第２のケース部分のうちいずれか一方をポンプ支持台への載置側部分として載置型空気ポンプとすることができる。
【００１５】
具体例として次の空気ポンプを挙げることができる。
(1) 前記第１及び第２のケース部分のうち、前記ポンプ本体及びポンプ駆動部が該第１ケース部分に据え付けられており、該第１、第２のケース部分の双方が多重壁構造に形成されており、該第２ケース部分がポンプ支持台への載置側部分とされた空気ポンプ。
(2) 前記第１及び第２のケース部分のうち、前記ポンプ本体及びポンプ駆動部が該第１ケース部分に据え付けられており、該第１、第２のケース部分のうち第１ケース部分が多重壁構造に形成されており、該第２ケース部分がポンプ支持台への載置側部分とされた空気ポンプ。
(3) 前記第１及び第２のケース部分のうち、前記ポンプ本体及びポンプ駆動部が該第１ケース部分に据え付けられており、該第１、第２のケース部分の双方が多重壁構造に形成されており、該第１ケース部分がポンプ支持台への載置側部分とされた空気ポンプ。
(4) 前記第１及び第２のケース部分のうち、前記ポンプ本体及びポンプ駆動部が該第１ケース部分に据え付けられており、該第１、第２のケース部分のうち第１ケース部分が多重壁構造に形成されており、該第１ケース部分がポンプ支持台への載置側部分とされた空気ポンプ。
(5) 前記第１及び第２のケース部分のうち、前記ポンプ本体及びポンプ駆動部が該第１ケース部分に据え付けられており、該第１、第２のケース部分のうち第２ケース部分が多重壁構造に形成されており、該第１ケース部分がポンプ支持台への載置側部分とされた空気ポンプ。
【００１６】
いずれにしても、ポンプ支持台への載置側部分とされるケース部分の少なくとも一部は、より一層騒音放出を抑制するために、振動吸収能を有する弾性材料（例えば弾性ゴム）を主体として形成してもよい。ここで「主体として」とは、ケース部分の少なくとも一部の全部が振動吸収能を有する弾性材料で形成されている場合のほか、ケース部分の少なくとも一部の殆ど全部が振動吸収能を有する弾性材料で形成されている場合等を指している。
【００１７】
いずれにしても、本発明に係る空気ポンプの代表例として、前記ポンプ本体がダイアフラムを往復動させることで空気を吸引し吐出できるダイアフラムポンプ本体であり、前記ポンプ駆動部が、交番磁界を発生させるための電磁石と、該電磁石が発生する交番磁界により振動して該振動を前記ダイアフラムに伝達し該ダイアフラムを往復動させるダイアフラム駆動部材とを含んでいる空気ポンプを挙げることができる。
【００１８】
ここで「交番磁界」とは、電磁石への通電の繰り返しオンオフにより発生消滅が繰り返される磁界、交流電力の供給により磁界の向きが繰り返し変化する磁界等を指している。  この種のポンプは特に振動騒音を発生しやすいので、ケースの少なくとも一部を壁間に間隔をあけた多重壁構造としたケースを採用することで騒音放出抑制効果が期待できる。
【発明の効果】
【００１９】
以上説明したように本発明によると、ポンプ本体と、該ポンプ本体を駆動するためのポンプ駆動部とをケースで囲った、空気を供給するための空気ポンプであって、ポンプ本体及びポンプ駆動部の運転により発生する騒音のポンプ周囲空間への放出を、構造を格別複雑化することなく簡易に抑制できる空気ポンプを提供することができる。
【発明を実施するための最良の形態】
【００２０】
以下、本発明の実施の形態を説明する。
図１は本発明に係る空気ポンプの１例の平面図であり、図２は該ポンプを図１において左側から見て示す面である。図３は図１のＸ−Ｘ線に沿う断面図、図４はポンプ本体及びポンプ駆動部の斜視図である。
【００２１】
図示の空気ポンプＰは、例えば、熱帯魚等の動物を飼育、観賞するための動物観賞用水槽内の水中に配置されたエアレーション装置へ空気を供給するなどに使用できるポンプであり、適当なポンプ支持台１００に載置して用いることができる載置型空気ポンプである。
【００２２】
ポンプＰは、図３等に示すように、ポンプ本体１と、ポンプ本体１を駆動するポンプ駆動部２とをケース３に内蔵したものである。
ポンプ本体１は、図３及び図４に示すように、ダイアフラム１１を往復動させることで空気を吸引し吐出できるダイアフラムポンプ本体である。空気の吐出はパイプ状の吐出口部１２から行われる。
【００２３】
ポンプ駆動部２は、通電コード２１１から供給される交流電力にて交番磁界を発生させる電磁石２１を含んでいる。さらに、電磁石２１が発生する交番磁界により振動して該振動をダイアフラム１１に伝達しダイアフラム１１を往復動させるダイアフラム駆動部材２２も含んでいる。ダイアラム駆動部材２２は、一端部２２１がポンプ本体１に片持ち支持されるとともに自由端部にマグネット２３を有する板バネ部材である。マグネット２３は電磁石２１のコア２１０の近傍に配置されており、電磁石２１が通電により交番磁界を発生すると、図４において矢印α方向に往復動し、それによりダイアラム駆動部材２２の全体が往復動してポンプ本体１のダイアフラム１１を往復動させる。
【００２４】
ケース３は、第１ケース部分３１と第２ケース部分３２とらかなっている。
第１ケース部分３１は、内壁部３１２と、該内壁部に対し空間をおいて被せられた外壁部３１１とを含む二重壁構造のものである。
【００２５】
図３に示すように、内壁部３１２の天井部にはポンプ本体支持部３１３及び電磁石支持部３１４が形成されている。ポンプ本体支持部３１３にポンプ本体１が支持固定されており、電磁石支持部３１４に電磁石２１がボルト３１５で留められている。
【００２６】
第１ケース部の内壁部３１２は下端周縁に沿ってフランジ３１２ｆを有しており、外壁部３１１は、内壁部３１２に被せられ、その下端周縁部が、該フランジ３１２ｆに嵌合当接されている。
【００２７】
ケース３の第２ケース部分３２は、その上端周縁の上方へ向けられた端面が第１ケース部分３１の下端周縁部の下方へ向けられた端面に突き合わされ、その状態でボルト３２４にて第１ケース部分３１に接続固定されている。
【００２８】
さらに説明すると、第１ケース部分３１の外壁部３１１は、ポンプ本体１の前方の部分（図３においてポンプ本体１の左側の部分）と電磁石２１の後方部分（図３において電磁石２１の右側部分）がそれぞれ肉厚部３１１ｔに形成されており、該肉厚部３１１ｔに対応する第２ケース部分３２の部分も肉厚に形成されており、そこにボルトを嵌め込む穴３２１が形成されている。
【００２９】
ボルト嵌め込み穴３２１に嵌め込んだ接続ボルト３２４を該穴の底部及び第１ケース部分３１のフランジ３１２ｆに貫通させて外壁部の肉厚部３１１ｔに螺合させることで、第１ケース部分３１と第２ケース部３２とが一体的に接続されている。
【００３０】
この状態では、図３に示すように、内壁部３１２内に一体的に形成されたリブ３１６の下端面から下方へ突出するピン部３１６ａが、第２ケース部分３２に形成されたピン穴３２３ａに差し込まれる。ピン穴３２３ａは後述する足部３２３’の丁度上方に位置している。
さらに、図２に示すように、ポンプ本体１の空気吐出口部１２が第２ケース部分３２に形成された貫通孔３２２に挿入され、ケース外部に臨んでいる。
【００３１】
第２ケース部分３２は支持台１００への載置側部分として用いられ、下面に足部３２３、３２３’を有している。第２ケース部分３２は、その足部３２３、３２３’を振動吸収能を有するゴム材のような弾性材料で形成するだけでもよいが、本例では、第２ケース部分３２は全体的に振動吸収能を有するゴム材を主体として形成されている（全部が振動吸収能を有するゴム材料で形成されいるか、殆ど全部が振動吸収能を有するゴム材料で形成されいる）。
【００３２】
以上説明した空気ポンプＰは、これを適当な支持台１００に、第２ケース部分３２を下側にして載置し、第２ケース部分３２の孔３２２から覗いているポンプ本体１の空気吐出口部１２に、例えば、水槽内に設置されたエアレーション装置に連通しているチューブを接続し、ポンプＰを運転することで、該エアレーション装置から水槽内水に空気を供給することができる。
【００３３】
ポンプＰによると、ポンプ本体１及びポンプ駆動部２は、支持台１００に遮られることなくポンプ周囲空間に曝されている第１ケース部分３１に据え付けられているが、該第１ケース部分３１は二重壁構造に形成されているので、それだけポンプ運転時の周囲空間への騒音放出が抑制される。
【００３４】
ポンプＰによると、このように騒音放出が効果的に達成されるが、該騒音放出抑制は、ケース３の第１ケース部分３１を二重壁構造に形成することで行うので、ポンプ構造を格別複雑化、高価格化することはない。
【００３５】
また、ポンプＰによると、支持台１００に載置される第２ケース部分３２は振動吸収能を有するゴム材を主体として形成されているので、それだけ一層、ポンプ運転時の周囲空間への騒音放出が抑制される。
【産業上の利用可能性】
【００３６】
本発明は、熱帯魚等の動物を飼育、観賞するための動物観賞用水槽に用いる水に空気を供給することなどに採用でき、周囲空間への騒音放出が抑制された空気ポンプを提供することに利用できる。
【図面の簡単な説明】
【００３７】
【図１】本発明に係る空気ポンプの１例の平面図である。
【図２】図１に示すポンプを図１において左側から見て示す図である。
【図３】図１のＸ−Ｘ線に沿う断面図である。
【図４】ポンプ本体及びポンプ駆動部の斜視図である。
【符号の説明】
【００３８】
Ｐ  空気供給ポンプ
１００  ポンプ支持台
１  ポンプ本体
１１  ダイアフラム
１２  空気吐出口部
２  ポンプ駆動部
２１  電磁石
２１０  電磁石コア
２１１  通電コード
２２  ダイアラム駆動部材
２３  マグネット
３  ケース
３１  第１ケース部分
３１１  内壁部
３１１ｔ  肉厚部
３１２  外壁部
３１２ｆ  フランジ
３１３  ポンプ本体支持部
３１４  電磁石支持部
３１５  ボルト
３１６  リブ
３１６ａ  ピン部
３２  第２ケース部分
３２１  ボルト嵌め込み穴
３２４  接続ボルト
３２２  貫通孔
３２３、３２３’  足部
３２３ａ  ピン穴
１００  ポンプ支持台
【図１】
2007231746.tif 000003
【図２】
2007231746.tif 000004
【図３】
2007231746.tif 000005
【図４】
2007231746.tif 000006